(57)【要約】【課題】本発明はシートを多重巻きしたシートロールからシートを適正且つ円滑に巻出すことができるシートロール巻出し装置を提供する。【解決手段】据え付け台７に立設されたシートロール３の巻芯９内に遊挿するポール１を備え、該ポール１の一端側と他端側に該ポール１に外挿せる一対のロールホルダー２を配し、該各ロールホルダー２にはシートロール３の巻芯９両端の開口部内に差し入れられて該開口部内周縁に当接しシートロール３をホールドする円錐面１１を有するロール受け座５を設け、該ロール受け座５をポール１に対し自由回転可に設けてシートロール３と一体回転可にし、該各ロールホルダー２には該ロールホルダー２を上記ポール１に対し挿抜可に固定するホルダー固定機構６を設け、上記シートロール３をロール受け座５と一緒に回転しつつシートロール３よりシート８を巻出す構成としたシートロール巻出し装置。【選択図】        図１
2006124056.tif 000002
【特許請求の範囲】
【請求項１】
据え付け台に立設されたシートロールの巻芯内に遊挿するポールを備え、該ポールの一端側と他端側に該ポールに外挿せる一対のロールホルダーを配し、該各ロールホルダーにはシートロールの巻芯両端の開口部内に差し入れられて該開口部内周縁に当接しシートロールをホールドする円錐面を有するロール受け座を設け、該ロール受け座をポールに対し自由回転可に設けてシートロールと一体回転可にし、該各ロールホルダーには該ロールホルダーを上記ポールに対し挿抜可に固定するホルダー固定機構を設け、上記シートロールをロール受け座と一緒に回転しつつシートロールよりシートを巻出す構成としたことを特徴とするシートロール巻出し装置。
【請求項２】
上記ポールを据え付け台に対し横倒可に枢支し、該横倒したポールの自由端を支持する据え付け台を設け、両据え付け台間に上記シートロールを水平に支持する構成としたことを特徴とする請求項１記載のシートロール巻出し装置。
【請求項３】
上記シートロールの巻出しを制動する制動装置を設けたことを特徴とする請求項１記載のシートロール巻出し装置。
【発明の詳細な説明】
【技術分野】
【０００１】
本発明はロール状に巻かれた養生シートや壁紙シート又は布地シート等の巻出しに供する巻出し装置に関する。
【背景技術】
【０００２】
従来長尺の養生シートや壁クロス、或いは被服布地やカーテン布地等のシートをロール状に巻いたシートロールは、巻芯を軸に外挿し、該軸を中心にシートロールを回転させつつシートを所要長巻出す方法が採られていた。
【０００３】
殊に工事現場において用いられる養生シートにおいては、シートロールを床面に置いたり、壁面に立てかけシート巻出し端を人の手により引き出し、引き出し力でロールを回転させつつ、所要長のシートを巻出す方法が採られていた。
【発明の開示】
【発明が解決しようとする課題】
【０００４】
而して養生シートの如きシートロールを軸支せずに巻出しする方法では、円滑且つ迅速な巻出しが行えず、手間がかかる作業を強いられ、薄手の養生シートが破断する等の問題を有している。
【０００５】
又壁紙シートや布地シートの如きシートロールの巻芯を軸支し、該ロールを回転させつつ巻出す方法では、巻芯の径によっては軸に外挿することができず、互換性に欠け、巻芯と軸に遊びを生じてガタ又は傾斜を生じ、直角に切断し難い問題や、巻芯が全長において軸と接触し上記ガタや傾斜が加わってシートロールの円滑な回転を妨げる等の問題を有している。
【課題を解決するための手段】
【０００６】
本発明は据え付け台に立設されたシートロールの巻芯内に遊挿するポールを備え、該ポールの一端側と他端側に該ポールに外挿せる一対のロールホルダーを配し、該各ロールホルダーにはシートロールの巻芯両端の開口部内に差し入れられて該開口部内周縁に当接しシートロールをホールドする円錐面を有するロール受け座を設け、該ロール受け座をポールに対し自由回転可に設けてシートロールと一体回転可にし、該各ロールホルダーには該ロールホルダーを上記ポールに対し挿抜可に固定してポールへのシートロールの挿抜を可能とするホルダー固定機構を設け、上記シートロールをロール受け座と一緒に回転しつつシートロールよりシートを巻出す構成としたシートロール巻出し装置を提供する。
【０００７】
又本発明は上記ポールを据え付け台に対し横倒可に枢支し、該横倒したポールの自由端を支持する据え付け台を設け、両据え付け台間に上記シートロールを水平に支持する構成としたシートロール巻出し装置を提供する。
【０００８】
又本発明は上記シートロールの巻出しを制動する制動装置を設けたシートロール巻出し装置を提供する。
【発明の効果】
【０００９】
上記シートロール巻出し装置によれば、ロールホルダーのロール受け座の円錐面にてシートロールの芯出しが適正に図れ、巻芯とポールとは非接触状態にしつつ、上記ロール受け座をシートロールと一緒に円滑に回転させながら、シートの巻き出しを円滑に遂行でき、ポール軸線に対し確実に直角引き出しが行える。
【００１０】
又ポールを据え付け台に立設してシートロールからシートを巻出す装置と、ポールを据え付け台に対し横倒して支持しシートロールからシートを巻出す装置の両用に兼用でき、現場に応じ何れかを採用できる。
【００１１】
又上記制動装置によって、シートロール及びロール受け座の遊び回転を防止し、過度のシートの巻出しを有効に防止できると共に、シートロールを回転せずにシートの切断が容易に行え、加えてシートロール及びシート受け座が自然に回転してしまいシートが巻出されてしまう問題を有効に解決することができる。
【発明を実施するための最良の形態】
【００１２】
以下本発明を実施するための最良の形態を図１乃至図５に基づき説明する。
【００１３】
図１に示すように、据え付け台７に立設したポール１を備え、該ポール１をシートロール３の巻芯９内に遊挿しシートロール３を縦方向に支持する。従ってポール１の径は各種のシートロール３の巻芯径より小径である。
【００１４】
シートロール３は円筒形の巻芯９に養生シートや壁紙シート又は布地シート８を多重巻きしたロールであり、巻芯９の両端はロール両端面より僅かに突出している。このシートロール３はシート８の巻長（ロール径）に応じ巻芯９の内径が異なる。
【００１５】
上記ポール１の一端側と他端側に該ポール１に外挿せる一対のロールホルダー２を備える。
【００１６】
上記各ロールホルダー２にはシートロール３の巻芯９両端の開口部内に差し入れられて該開口部内周縁に当接しシートロール３をホールドする円錐面１１を有するロール受け座５を設ける。
【００１７】
シートロール３はその巻芯９をポール１に非接触状態で遊挿されると共に、ロール両端から突出する巻芯９の両端突出部の開口部内周縁に上記ロール受け座５の円錐面１１が環状に加圧接触し、両ロール受け座５間にシートロール３をホールドする。
【００１８】
上記ポール１は回転不可にすると共に、該ポール１に対しロール受け座５を自由回転可に設け、上記ロール巻芯９両端の開口部内周縁と上記円錐面１１との加圧接触によりシートロール３をロール受け座５と一緒に自由回転可にする。
【００１９】
上記各ロールホルダー２は上記ポール１に対し挿抜可に略密に外挿し、該ロールホルダー２をポール１に外挿した後、ホルダー固定機構６によりポール１に固定し、シートロール３の軸長に応じた位置で上記円錐面１１と巻芯９両端の開口部内周縁との加圧接触を保持する。
【００２０】
上記シートロール３はポール１に対し非接触状態に遊挿されつつ両ロール受け座５により芯出しされた状態で同受け座５と一緒に回転しながら、シートロール３よりシート８を巻出す。
【００２１】
上記ポール１は金属製等の中空パイプを用い、該ポール１は対象とする種々の軸長を有するシートロール３より長尺のパイプであり、該シートロール３を遊挿せるポール１の両端部に上記ロールホルダー２を挿抜可に装着する。
【００２２】
図１，図２，図４に示すように、上記両ロール受け座５は平面視円盤形で、且つ互いに対向する側に向かって突出する円錐形を呈する。該円錐形部を上記シートロール３の巻芯９の両端開口部内へ差し入れつつ、その円錐面１１を巻芯９の両端開口部内周縁に圧接することによって、該シートロール３を両円錐面１１間、即ちロール受け座５間、即ちロールホルダー２間にホールドする構成とする。
【００２３】
図２に示すように、上記円錐面１１は異なる径の巻芯９を同一条件で芯出ししつつホールドし、各種のシートロール３への対応を可能とする。
【００２４】
上記ロール受け座５の中心部に貫通孔１０を設けると共に、該貫通孔１０と同一内径の筒孔を有するポールガイド筒１２を設け、該ポールガイド筒１２の下端外周面にベアリング４を介して上記ロール受け座５を自由回転可に設け、ロール受け座５とポールガイド筒１２とが一体組みされたロールホルダー２を構成する。上記ロールホルダー２は互いに同一軸芯に連通するポールガイド筒１２内と貫通孔１０内にポール１を略密に貫挿する。この場合上記ポールガイド筒１２を貫通孔１０の全軸長に亘って一体に挿入し、ポール１をポールガイド筒１２内に内挿する構造とすることを妨げない。
【００２５】
更に上記ホルダー固定機構６としてロール受け座５から突出する上記ポールガイド筒１２の周壁に雌ねじ孔１４を貫設し、該雌ねじ孔１４につまみ付きボルト１３を螺合し、その螺進により該ボルト１３の軸先を上記ポール１の周面に締付けることによって、ロールホルダー２をポール１に挿抜可に固定する。
【００２６】
再述すると、ボルト１３を緩めることにより上端のロールホルダー２をポール１から抜去し、次にシートロール３をその巻芯９を以ってポール１に遊挿し、該巻芯９下端の開口部内に下端側のロール受け座５の円錐形部先端を差し入れつつ、その円錐面１１を巻芯９下端の開口部内周縁に当接し規制する。
【００２７】
次に上端側のロールホルダー２をポール１に外挿して巻芯９上端の開口部内に上端側のロール受け座５の円錐形部先端を差し入れつつ、その円錐面１１を巻芯９上端の開口部内周縁に加圧接触せしめる。
【００２８】
上記上端側のロールホルダー２は上記ボルト１３を螺進して該ボルト先を上記ポール１の周面に締付けることによりポール１に挿抜可に固定し、上記両円錐面１１による巻芯９両端の開口部内周縁に対する加圧接触状態を保持し、芯出し状態を保持し、両ロール受け座５間にシートロール３をホールドする。
【００２９】
上記ロールホルダー２はポール１に沿って軸線方向に移動自在であり、移動によってシートロール３の軸長に対応するホールド位置、即ち円錐面１１が巻芯９の両端開口部内周縁に加圧接触するホールド位置を設定し保持する。
【００３０】
図１に示す如く、ポール１を上記据え付け台７に垂直に支持する。該据え付け台７は一例として図３に示すように、金属製の脚柱を十字にクロスさせて一体構造とし、該クロス部、即ち据え付け台７の中心部に上記ポール１の下端を入れ子にする継手筒１５を上方に向け開口するように一体に設け、該継手筒１５に上記ポール１の下端を挿抜可に挿入してポール１及びロールホルダー２を垂直に支持する。
【００３１】
上記継手筒１５の周壁には雌ねじ孔１９を貫設し、該雌ねじ孔１９につまみ付きボルト１８を螺合し、その螺進により該ボルト先を上記ポール１の周面に圧接することによって、ポール１を据え付け台７に対し挿抜可に固定し、垂直に支持されたシートロール３からシート８を巻出す構成とする。
【００３２】
又上記ポール１はボルト１８を解除することにより、据え付け台７から抜去分解し、更に該ポール１より上記上下ロールホルダー２を取り外して分解し、運搬や再組み立てに供する。
【００３３】
組み立て時においてはポール１に一方のロールホルダー２を遊挿し、適宜な位置で固定した後、シートロール３を遊挿し、次に他方のロールホルダー２をポール１に遊挿し固定して前記シートロール３のホールド状態を形成し、次に該ポール１を据え付け台７に立設する。
【００３４】
図１に示すように、上記据え付け台７には複数のキャスター１６を設けて移動の便に供する。好ましくは該キャスター１６は上記据え付け台７の下面から僅かに突出する高さに配する。
【００３５】
具体例として図示の如く、十字形の脚柱から成る据え付け台７を形成し、該据え付け台７の両脚柱の各自由端に上方へ屈曲するキャスター支持部１７を設け、該キャスター支持部１７の下面側に上記キャスター１６を取り付け、該キャスター支持部１７によりキャスター１６の高さを相殺し、ポール長、即ちシートロール巻出し装置全体の高さを低減する。
【００３６】
又他例として図４に示すように、上記ポール１を据え付け台７に対し横倒可に枢支し、立設状態でシート巻出しを図る装置を横倒状態でシート巻出しを図る装置に転換可能とする。
【００３７】
上記横倒したポール１の自由端を支持する据え付け台７′を用意し、両据え付け台７，７′間に上記シートロール３を水平に支持し、水平巻出しを可能とする。
【００３８】
よって上記の如く、シートロール巻出し装置にシートロール３の垂直巻出しと水平巻出しとを可能にする機能を併備せしめる。
【００３９】
具体例として図示の如く、上記ポール１の下端に継手ロッド２０を軸２０′を介して起立横倒可に枢支取り付けし、該継手ロッド２０を上記据え付け台７の継手筒１５に入れ子にし、ポール１を軸２０′を中心として起立横倒可とする。
【００４０】
他方前記つまみ付きボルト１８により継手ロッド２０を継手筒１５に固定し、ポール１を立設状態又は横倒状態に固定する。
【００４１】
上記横倒したポール１の自由端を支持する手段として、上記第一据え付け台７とは別に第二据え付け台７′を用意し、両据え付け台７，７′によりポール１及びロールホルダー２を水平に支持し、水平に外挿されたシートロール３からのシート８の水平巻出しを可能とする。
【００４２】
これにより、例えば天井高さが高い工事現場においてはシートロール巻出し装置を垂直に使用し、他方天井高さが低い工事現場においては同装置を水平に使用する等、現場に応じたシートロールの巻出しが行える。
【００４３】
上記第二据え付け台７′は門形の脚柱の下端に据え付け板１６′を設け、更に据え付け台７′の中央部にポール１の自由端を受け入れる側方へ開口する継手筒１５′を一体に設け、該継手筒１５′に上記ポール１の自由端を入れ子にして上記据え付け台７と協同してポール１の両端を水平に支持し、上記ロールホルダー２を水平に支持する。
【００４４】
上記継手筒１５′の周壁には継手筒１５と同様、つまみ付きボルトを設け、該つまみ付きボルトの先端をポール自由端外周面に締付けることによって、第二据え付け台７′を固定することができる。
【００４５】
上記シートロール巻出し装置においては、継手ロッド２０を設けずに、上記据え付け台７の継手筒１５を起立又は横倒可に枢支し、起立状態に固定する固定機構を設け、ポール１の立設状態を保持することができる。
【００４６】
又図１に示すように、上記シートロール巻出し装置に上記シートロール３の巻出しを制動する制動装置２１を設ける。好ましくは上記制動装置２１を下端側のロール受け座５と対置し、該ロール受け座５の周面に対し摩擦接触又は接触解除可に配し、制動装置２１の制動面がロール受け座５の周面に摩擦接触して自由回転を制動する。
【００４７】
又図４に示すように、ポール１を水平に横倒して巻出しを図る例においても同様に制動装置２１を基端側又は自由端側のロール受け座５と対置し、該ロール受け座５の周面に対し摩擦接触又は接触解除可に配し、制動装置２１の制動面がロール受け座５の周面に摩擦接触して自由回転を制動する。制動装置２１は何れも第一据え付け台７又は第二据え付け台７′に取り付ける。
【００４８】
上記制動装置２１の具体例としては図示の如く、上記据え付け台７に取り付けた取り付け板２２の外端に操作レバー２４を軸２３により回動可に取り付け、他方制動ロッド２５のガイド筒２７を上記取り付け板２２の内端側に取り付け、該ガイド筒２７内に上記制動ロッド２５を進退可に内挿し、該制動ロッド２５の後端と上記操作レバー２４の前端を山形リンク２６にて枢結し、上記操作レバー２４の上方回動により上記制動ロッド２５が山形リンク２６を介して上記ロール受け座５へ向け前進し、該制動ロッド２５の先端面、即ち制動面が上記ロール受け座５の周面に当接して該ロール受け座５の回転を制動する。即ちロール受け座５とシートロール３の無用なフリー回転を抑止する。
【００４９】
又上記操作レバー２４を下方へ回動することによって上記制動ロッド２５が後退し、上記ロール受け座５との当接を解除し、上記ロール受け座５の回転制動を解除する。
【００５０】
上記制動ロッド２５の先端部には制動ヘッド２８を進退可に螺合し、該制動ヘッド２８の進退により制動ロッド２５による制動位置を微調整する構成とする。
【００５１】
上記制動装置２１よって、シートロール３より巻出したシート８の過度の巻出しを制動し、又シートロール３の回転を制動してシート８の切断が容易に行えるようにする。加えてシートロール３が自然に回転しシート８が不用意に巻出される問題を有効に防止する。
【図面の簡単な説明】
【００５２】
【図１】シートロールを起立状態にしてシート巻出しを図るシートロール巻出し装置の断面図。
【図２】ロールホルダーのロール受け座によるシートロール巻芯の芯出し状態を示す断面図。
【図３】上記シートロール巻出し装置のポールの一端を支持する据え付け台の平面図。
【図４】上記シートロール巻出し装置を起立使用又は横倒使用に兼用する場合を例示する断面図。
【図５】Ａは上記横倒したシートロール巻出し装置のポールの他端を支持する据え付け台の平面図、Ｂは同正面図。
【符号の説明】
【００５３】
１…ポール、２…ロールホルダー、３…シートロール、４…ベアリング、５…ロール受け座、６…ホルダー固定機構、７…第一据え付け台、７′…第二据え付け台、８…シート、９…巻芯、１０…貫通孔、１１…円錐面、１２…ポールガイド筒、１３…つまみ付きボルト、１４…雌ねじ孔、１５，１５′…継手筒、１６…キャスター、１６′…据え付け板、１７…キャスター支持部、１８…つまみ付きボルト、１９…雌ねじ孔、２０…継手ロッド、２０′…軸、２１…制動装置、２２…取り付け板、２３…軸、２４…操作レバー、２５…制動ロッド、２６…山形リンク、２７…ガイド筒、２８…制動ヘッド。
【図１】
2006124056.tif 000003
【図２】
2006124056.tif 000004
【図３】
2006124056.tif 000005
【図４】
2006124056.tif 000006
【図５】
2006124056.tif 000007